(57)【特許請求の範囲】
【請求項１】
第１のデータリージョン情報が割り当てられた第１データが記録される第１エリアと、
前記第１のデータリージョン情報とは異なる第２のデータリージョン情報が割り当てられた第２データが記録される第２エリアと、
(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データが記録される制御エリアと、
前記第１のデータリージョン情報及び前記第２のデータリージョン情報の夫々が反映されるべき媒体リージョン情報が記録されるリージョン記録エリアと
を備えることを特徴とする情報記録媒体。
【請求項２】
前記制御データは、前記設定された第１のデータリージョン情報及び前記情報再生装置に対して割り当てられる装置リージョン情報の夫々に基づいて、前記情報再生装置による前記第１データの再生動作を制御する動作コマンドデータを含むことを特徴とする請求の範囲第１項に記載の情報記録媒体。
【請求項３】
前記制御データは、当該情報記録媒体を再生する場合に最初に再生されるデータとして設定されていることを特徴とする請求の範囲第１項に記載の情報記録媒体。
【請求項４】
前記第１データは、前記第１データの再生シーケンスを規定するシーケンスデータを更に含んでおり、
前記シーケンスデータは、前記制御データを最初に再生されるデータとして規定していることを特徴とする請求の範囲第１項に記載の情報記録媒体。
【請求項５】
前記制御データは、前記第１データの全体又は前記第１データの一部を再生する前に前記情報再生装置により実行されるプリコマンド又は前記第１データの全体又は前記第１データの一部を再生した後に前記情報再生装置により実行されるポストコマンド情報として記録されていることを特徴とする請求の範囲第１項に記載の情報記録媒体。
【請求項６】
前記制御エリアは、前記第１エリア及び前記第２エリアの少なくとも一方に含まれていることを特徴とする請求の範囲第１項に記載の情報記録媒体。
【請求項７】
前記制御データは、(i)設定された前記第１のデータリージョン情報が、前記情報再生装置に対して割り当てられた装置リージョン情報と一致しない場合に、前記第１データを前記情報再生装置が再生することができない旨の警告文を表示するための表示データ及び(ii)前記警告文が表示された後に前記情報再生装置の再生動作を停止させる停止コマンドデータを含むことを特徴とする請求の範囲第１項に記載の情報記録媒体。
【請求項８】
前記第１のデータリージョン情報と前記第２のデータリージョン情報とが記録されるべきタイトルリージョンエリアを更に備え、
前記タイトルリージョンエリアに記録された情報と前記リージョン記録エリアに記録された情報とは同一に設定されていることを特徴とする請求の範囲第１項に記載の情報記録媒体。
【請求項９】
第１のデータリージョン情報が割り当てられた第１データを記録する第１記録手段と、
前記第１のデータリージョン情報とは異なる第２のデータリージョン情報が割り当てられた第２データを記録する第２記録手段と、
(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データを記録する第３記録手段と、
前記第１のデータリージョン情報及び前記第２のデータリージョン情報の夫々が反映されるべき媒体リージョン情報を記録する第４記録手段と
を備えることを特徴とする情報記録装置。
【請求項１０】
第１のデータリージョン情報が割り当てられた第１データを記録する第１記録工程と、
前記第１のデータリージョン情報とは異なる第２のデータリージョン情報が割り当てられた第２データを記録する第２記録工程と、
(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データを記録する第３記録工程と、
前記第１のデータリージョン情報及び前記第２のデータリージョン情報の夫々が反映されるべき媒体リージョン情報を記録する第４記録工程と
を備えることを特徴とする情報記録方法。
【請求項１１】
第１のデータリージョン情報が割り当てられる第１データを記録する第１記録手段と、前記第１のデータリージョン情報とは異なる第２のデータリージョン情報が割り当てられる第２データを記録する第２記録手段と、(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データを記録する第３記録手段と、前記第１のデータリージョン情報及び前記第２のデータリージョン情報の夫々が反映されるべき媒体リージョン情報を記録する第４記録手段とを備える情報記録装置に備えられたコンピュータを制御する記録制御用のコンピュータプログラムであって、
前記コンピュータプログラムは、前記コンピュータを、前記第１記録手段、前記第２記録手段、前記第３記録手段及び第４記録手段のうち少なくとも一部として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、並びにコンピュータをこのような情報記録装置として機能させるコンピュータプログラムの技術分野に関する。
【背景技術】
【０００２】
ＤＶＤ−Ｖｉｄｅｏ（ＤＶＤビデオ）規格では、圧縮符号化方式の一例であるＭＰＥＧ（Moving Picture Expert Group）１又はＭＰＥＧ２により圧縮符号化されたビデオ情報をＤＶＤ等の光ディスクに記録する際に準拠する規格である。ＤＶＤ―Ｖｉｄｅｏ規格によれば、映画一本程度のコンテンツ情報を、１枚の光ディスク上に記録可能な程度にまで、記録データの圧縮符号化及び高密度記録化が進められてきている。ＤＶＤ−Ｖｉｄｅｏ規格は、主として、映画等のタイトルが収められたパッケージソフトを作成し、該パッケージソフトをユーザに販売する目的で定められている。他方で、ＤＶＤ−Ｖｉｄｅｏ規格においては、主として読取専用のタイトルを記録するために定められていることから、ユーザの自由な編集が制限されている。特に、例えばＣＭや本編が離散的に配列するテレビ番組等のタイトルを、ユーザがＣＭを編集しながら記録する用途には向いていない。加えて、ＤＶＤ−Ｖｉｄｅｏ規格においては、地上デジタル放送やＢＳデジタル放送において放送されているコピーワンスのタイトルを記録することができない。【０００３】
そこで、ＤＶＤ−Ｖｉｄｅｏ規格とは別に、特許文献１に示すＤＶＤ−ＶＲ（Video Recording）規格が定められている。ＤＶＤ−ＶＲ規格では、例えばＣＭや本編が離散的に配列するテレビ番組等のタイトルを、ユーザがＣＭを編集しながら記録する、或いは記録後に編集することができる。加えて、ＤＶＤ−ＶＲ規格では、ＣＰＲＭ（Contents Protection for Recordable Media）等にも対応していることから、コピーワンスのタイトルを記録することができる。このため、記録されるタイトルの著作権を好適に保護することができる。【０００４】
また、ＤＶＤには、記録されたタイトルの再生可能地域を限定するためのリージョンコードが割り当てられている。具体的には、全世界を６つの地域に分割し（航空機を一つの地域とすると７つの地域に分割し）、夫々の地域に固有のリージョンコードが規定されており、ＤＶＤには、１つの又は複数のリージョンコードが割り当てられる。更に、ＤＶＤを再生するためのＤＶＤプレーヤにも、１つのリージョンコードが割り当てられる。そして、ＤＶＤに割り当てられたリージョンコードと、ＤＶＤプレーヤに割り当てられたリージョンコードとが一致した場合にのみ、ＤＶＤプレーヤはＤＶＤに記録されたタイトルを再生することができる。例えば、日本国内で販売されているＤＶＤ及びＤＶＤプレーヤは、共にリージョンコード“２”が割り当てられている。このため、日本国内で販売されているＤＶＤに記録されたタイトルは、日本国内で販売されているＤＶＤプレーヤを用いて再生することができる。他方で、アメリカ国内で販売されているＤＶＤにはリージョンコード“１”が割り当てられている。このため、アメリカ国内で販売されているＤＶＤに記録されたタイトルは、日本国内で販売されているＤＶＤプレーヤを用いて再生することはできない。このようなＤＶＤの再生制御は、ＲＰＣ（Region Playback Control）と称されている。【０００５】
特許文献１には、ＤＶＤを再生するためのＤＶＤプレーヤ内に、ＤＶＤプレーヤが設置されて動作すべき国又は領域を示すリージョンコードを記憶しておき、一方で、ＤＶＤ内にその製造段階において当該ＤＶＤに記録されるタイトルの再生を許可する国又は領域を示すリージョンコードを記録しておき、そのＤＶＤが装填されたＤＶＤプレーヤ内に記憶されている上記リージョンコードと、そのＤＶＤ自体に記録されている上記クリージョンコードとを、当該ＤＶＤの装填後の再生開始時に照合し、両者が一致したときのみタイトルの再生を開始するように当該ＤＶＤプレーヤを制御することが記載されている。【０００６】
【特許文献１】特開２００４−１２７４８６号公報
【発明の開示】
【発明が解決しようとする課題】
【０００７】
ここで、例えばインターネット上のサーバに映画等のタイトルを格納しておき、ユーザに対して該タイトルを配信し、ユーザが配信されたタイトルを光ディスクに記録する配信システムの開発が切望されている。特に、配信するタイトルは、ユーザが編集する必要のない映画等であることが多いことから、配信するタイトルをＤＶＤ−Ｖｉｄｅｏ規格に準拠してサーバ上に格納しておき、ＤＶＤ−Ｖｉｄｅｏ規格に準拠したタイトルを配信する配信システムの開発が切望されている。このとき、サーバから配信されるいわゆる新方式のタイトルと、パッケージソフトとして予めオーサリングされることを想定しているいわゆる旧方式のタイトルとを区別するために、夫々のタイトルを構成するファイル等の名称を異なるものにすることが好ましい。【０００８】
このように、光ディスク上に複数のタイトルを記録する場合には、複数のタイトルの夫々に対して異なるリージョンコードを割り当てる要求が出てくる。しかしながら、現行のＤＶＤでは、１枚のディスクに対して１つのリージョンコード（言い換えれば、一つの組み合わせのリージョンコード）が割り当てられるため、異なるリージョンコードを割り当てることができないという技術的な問題点が生ずる。特に、物理層レベルでリージョンコードを示すＣＰＲ＿ＭＡＩと、アプリケーション層レベルでリージョンコードを示すＶＭＧ＿ＣＡＴとが一致している必要があるため、タイトル毎に異なるリージョンコードを割り当てることができない。【０００９】
更には、ＤＶＤに限らず、リージョンコードを利用する各種情報記録媒体についても、同様の技術的な問題点が生じ得る。【００１０】
本発明は、例えば上述した従来の問題点に鑑みなされたものであり、例えば異なるリージョンコードが割り当てる（つまり、設定する）複数のタイトルにおいて、再生動作時のリージョンコードの設定を好適に行うことを可能とならしめる情報記録媒体、情報記録装置及び方法、並びにコンピュータをこのような情報記録装置として機能させるコンピュータプログラムを提供することを課題とする。
【課題を解決するための手段】
【００１１】
上記課題を解決するために、請求項１に記載の情報記録媒体は、第１のデータリージョン情報が割り当てられた第１データが記録される第１エリアと、前記第１のデータリージョン情報とは異なる第２のデータリージョン情報が割り当てられた第２データが記録される第２エリアと、(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データが記録される制御エリアと、前記第１のデータリージョン情報及び前記第２のデータリージョン情報の夫々が反映されるべき媒体リージョン情報が記録されるリージョン記録エリアとを備える。
【００１２】
上記課題を解決するために、請求項９に記載の情報記録装置は、第１のデータリージョン情報が割り当てられた第１データを記録する第１記録手段と、前記第１のデータリージョン情報とは異なる第２のデータリージョン情報が割り当てられた第２データを記録する第２記録手段と、(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データを記録する第３記録手段と、前記第１のデータリージョン情報及び前記第２のデータリージョン情報の夫々が反映されるべき媒体リージョン情報を記録する第４記録手段とを備える。
【００１３】
上記課題を解決するために、請求項１０に記載の情報記録方法は、第１のデータリージョン情報が割り当てられた第１データを記録する第１記録工程と、前記第１のデータリージョン情報とは異なる第２のデータリージョン情報が割り当てられた第２データを記録する第２記録工程と、(i)前記第１データを再生する場合に情報再生装置により参照される参照リージョン情報として前記第１のデータリージョン情報を設定すると共に、(ii)前記第２データを再生する場合に前記第２のデータリージョン情報を前記参照リージョン情報として設定する設定コマンドデータを含む、制御データを記録する第３記録工程と、前記第１のデータリージョン情報及び前記第２のデータリージョン情報の夫々が反映されるべき媒体リージョン情報を記録する第４記録工程とを備える。
【００１４】
上記課題を解決するために、請求項１１に記載のコンピュータプログラムは、第１のデータリージョン情報が割り当てられた第１データを記録する第１記録手段と、前記第１のデータリージョン情報とは異なる第２のデータリージョン情報が割り当てられた第２データを記録する第２記録手段と、(i)前記第１データを再生する場合に前記第１のデータリージョン情報を情報再生装置により参照される参照リージョン情報として設定すると共に、(ii)前記第２データを再生する場合に前記第２のデータリージョン情報を前記参照リージョン情報として設定する設定コマンドデータを含む、制御データを記録する第３記録手段と、前記第１のデータリージョン情報及び前記第２のデータリージョン情報の夫々が反映されるべき媒体リージョン情報を記録する第４記録手段とを備える情報記録装置に備えられたコンピュータを制御する記録制御用のコンピュータプログラムであって、前記コンピュータプログラムは、前記コンピュータを、前記第１記録手段、前記第２記録手段、前記第３記録手段及び第４記録手段のうち少なくとも一部として機能させる。
【００１５】
本発明の作用及び他の利得は次に説明する実施の形態から明らかにされよう。
【図面の簡単な説明】
【００１６】
【図１】本実施例に係る光ディスクの一の基本構造を示した概略平面図であり、該光ディスクの概略断面図と、これに対応付けられた、その半径方向における記録領域構造の図式的概念図である。
【図２】光ディスクに記録されるコンテンツの基本的なデータ構造を概念的に示すデータ構造図である。
【図３】光ディスクに記録されるコンテンツのデータ構造のうちのＶＴＳ（Video Title Set）のデータ構造を概念的に示すデータ構造図である。
【図４】光ディスクに記録されるコンテンツのデータ構造のうちのＶＭＧ（Video Manager）のデータ構造を概念的に示すデータ構造図である。
【図５】光ディスクに記録されるコンテンツの再生単位を規定するＰＧＣ（Program Chain）を概念的に示すタイミングチャートである。
【図６】警告文表示用セルにより表示される警告文を示す平面図である。
【図７】本実施例に係る情報記録再生装置の基本構成を概念的に示すブロック図である。
【図８】本実施例に係る情報記録再生の再生動作の流れを概念的に示すフローチャートである。
【符号の説明】
【００１７】
１０  光ディスク
１６  ＣＰＲ＿ＭＡＩ
２１  Ｖｉｄｅｏ＿ＤＣディレクトリ
２２  Ｖｉｄｅｏ＿ＴＳディレクトリ
３０  ＶＴＳ
３１  ＶＴＳＩ
３２  ＶＴＳＭ＿ＶＯＢＳ
３３  ＶＴＳ＿ＶＯＢＳ
３４  ＶＴＳＩ＿ＢＵＰＳ
４０  コマンド情報テーブル
４１  セル情報テーブル
４２  プリコマンドテーブル
４３  ポストコマンドテーブル
４４  セルコマンドテーブル
５０  ＶＭＧ
５１  ＶＭＧＩ
５２  ＶＭＧＭ＿ＶＯＢＳ
５４  ＶＭＧＩ＿ＢＵＰＳ
５８  ＶＭＧＩ＿ＣＡＴ
５９  ＦＰ＿ＰＧＣ
７１  警告文表示用セル
７２  リージョン設定コマンド
７３  再生停止コマンド
１００  情報記録装置
２００  通信ネットワーク網
３００  配信サーバ
３０１  ハードディスク
１１２  光ピックアップ
１１３  信号記録再生手段
１２１  ＣＰＵ
【発明を実施するための最良の形態】
【００１８】
以下、発明を実施するための最良の形態として、本発明の情報記録媒体、情報記録装置及び方法、並びにコンピュータプログラムに係る実施形態の説明を進める。【００１９】
（情報記録媒体の実施形態）
本発明の情報記録媒体に係る実施形態は、第１のデータリージョン情報（言い換えれば、第１のリージョンコード）が割り当てられた第１データ（例えば、後述のＶＩＤＥＯ＿ＤＣや、ＶＩＤＥＯ＿ＤＣ中のＶＴＳや、ＶＩＤＥＯ＿ＤＣ中のタイトル）が記録される第１エリア（例えば、後述のＶＩＤＥＯ＿ＤＣディレクトリ）と、前記第１のデータリージョン情報とは異なる第２のデータリージョン情報（言い換えれば、第２のリージョンコード）が割り当てられた第２データ（例えば、後述のＶＩＤＥＯ＿ＴＳや、ＶＩＤＥＯ＿ＴＳ中のＶＴＳや、ＶＩＤＥＯ＿ＴＳ中のタイトル）が記録される第２エリア（例えば、後述のＶＩＤＥＯ＿ＴＳディレクトリ）と、前記第１データを再生する場合に、前記第１のデータリージョン情報を情報再生装置により参照される参照リージョン情報（例えば、後述のＧＰＲＭ＃１）として設定する設定コマンドデータを含む制御データが記録される制御エリアとを備える。【００２０】
本発明の情報記録媒体に係る実施形態によれば、第１のデータリージョン情報が割り当てられた第１データと、第２のデータリージョン情報が割り当てられた第２データとが記録される。本実施形態においては、第１のデータリージョン情報と第２のデータリージョン情報とは異なる。【００２１】
本実施形態では特に、制御データが記録される。制御データは、当該情報記録媒体を再生する情報再生装置の再生動作時に参照される参照リージョン情報として、情報再生装置が第１データを再生する場合には、第１のデータリージョン情報を設定する設定コマンドデータを含んでいる。【００２２】
これにより、後に詳述するように情報記録媒体に媒体リージョン情報が記録されるという情報記録媒体の規格の要件を満たしながらも、データを再生する際には、該再生されるデータのデータリージョン情報を用いて再生動作を行うことができる。つまり、異なるデータリージョン情報が夫々に割り当てられる複数のデータが記録されている場合であっても、情報記録媒体の規格の要件を満たしながらも、再生されるデータに割り当てられたデータリージョン情報を参照リージョン情報として設定することができる。これにより、異なるデータリージョン情報が夫々に割り当てられる複数のデータが記録されている場合であっても、夫々のデータを好適に再生することができる。【００２３】
このように、本実施形態に係る情報記録媒体によれば、異なるデータリージョン情報が割り当てられる複数のデータにおいて、再生動作時のリージョン情報の設定を好適に行うことができる。【００２４】
尚、本実施形態では、第１データが記録される第１エリアと第２データが記録される第２エリアとが、物理的に区別されるように構成してもよい。例えば、情報記録媒体の相対的に内周側に第１エリアが配置され（つまり、第１データが記録され）、情報記録媒体の相対的に外周側に第２エリアが配置される（つまり、第２データが記録される）ように構成してもよい。又は、情報記録媒体の相対的に外周側に第１エリアが配置され（つまり、第１データが記録され）、情報記録媒体の相対的に内周側に第２エリアが配置される（つまり、第２データが記録される）ように構成してもよい。或いは、第１データが記録される第１エリアと第２データが記録される第２エリアとが、論理的に区別されるように構成してもよい。例えば、第１データと第２データとが物理的な位置としては共通の位置に記録されつつも、情報再生装置等が第１データと第２データとを論理的に区別することができるように記録されてもよい。【００２５】
本発明の情報記録媒体に係る実施形態の一の態様は、前記制御データは、前記設定された第１のデータリージョン情報（つまり、参照リージョン情報）及び前記情報再生装置に対して割り当てられる装置リージョン情報の夫々に基づいて、前記情報再生装置による前記第１データの再生動作を制御する動作コマンドデータを含む。【００２６】
この態様によれば、参照リージョン情報として設定される第１のデータリージョン情報及び装置リージョン情報の夫々に基づいて、情報再生装置の動作を制御することができる。例えば、第１のデータリージョン情報と装置リージョン情報とが一致する場合にのみ、情報再生装置による第１データの再生を許可したり、装置リージョン情報に応じて第１データの再生の態様を変更したりすることができる。【００２７】
本発明の情報記録媒体に係る実施形態の他の態様は、前記制御データは、当該情報記録媒体を（或いは、前記第１データを）再生する場合に最初に再生されるデータとして設定されている。【００２８】
この態様によれば、第１データを再生する場合には、制御データが最初に再生ないしは実行される。このため、再生される第１データに割り当てられたデータリージョン情報を参照リージョン情報として確実に設定することができる。【００２９】
本発明の意情報記録媒体に係る実施形態の他の態様は、前記第１データは、前記第１データの再生シーケンスを規定するシーケンスデータ（例えば、後述のＰＧＣ）を更に含んでおり、前記シーケンスデータは、前記制御データを最初に再生されるデータとして規定している（例えば、後述するＦＰＧＣにより最初に再生されるデータとして規定している）。【００３０】
この態様によれば、第１データを再生する場合には、制御データが最初に再生ないしは実行される。このため、再生される第１データに割り当てられたデータリージョン情報を参照リージョン情報として確実に設定することができる。【００３１】
本発明の情報記録媒体に係る実施形態の他の態様は、前記制御データは、前記第１データ中に含まれるコマンドデータ（例えば、後述のセルコマンドやナビゲーションコマンド等）である。【００３２】
この態様意よれば、第１データを再生する場合に、第１データに割り当てられたデータリージョン情報を参照リージョン情報として確実に設定することができる。【００３３】
本発明の情報記録媒体に係る実施形態の他の態様は、前記制御データは、前記第１データの全体又は前記第１データの一部を再生する前に前記情報再生装置により実行されるプリコマンド又は前記第１データの全体又は前記第１データの一部を再生した後に前記情報再生装置により実行されるポストコマンド情報として記録されている。【００３４】
この態様によれば、第１データを再生する場合に、第１データに割り当てられたデータリージョン情報を参照リージョン情報として確実に設定することができる。【００３５】
本発明の情報記録媒体に係る実施形態の他の態様は、前記制御エリアは、前記第１エリア及び前記第２エリアの少なくとも一方に含まれている。【００３６】
この態様によれば、第１エリア及び第２エリアの少なくとも一方中に制御エリアを設けることができる。【００３７】
本発明の情報記録媒体に係る実施形態の他の態様は、前記制御データは、(i)設定された前記第１のデータリージョン情報が、前記情報再生装置に対して割り当てられた装置リージョン情報と一致しない場合に、前記第１データを前記情報再生装置が再生することができない旨の警告文を表示するための表示データ及び(ii)前記警告文が表示された後に前記情報再生装置の再生動作を停止させる停止コマンドデータを含む。【００３８】
この態様によれば、参照リージョン情報に設定される第１のデータリージョン情報と装置リージョン情報とが一致しなければ、警告文が表示された後、再生動作が停止する。従って、違法に改造された情報再生装置による再生動作を防止することができる。【００３９】
本発明の情報記録媒体に係る実施形態の他の態様は、前記設定コマンドデータは、前記第２データを再生する場合に、前記第２のデータリージョン情報を前記参照リージョン情報として設定する。【００４０】
この態様によれば、情報記録媒体に媒体リージョン情報が記録されるという情報記録媒体の規格の要件を満たしながらも、データを再生する際には、該再生されるデータのデータリージョン情報を用いて再生動作を行うことができる。つまり、第１データを再生する際には第１のデータリージョン情報を参照リージョン情報として設定し、第２データを再生する際には第２のデータリージョン情報を参照リージョン情報として設定することができる。これにより、異なるデータリージョン情報が夫々に割り当てられる複数のデータが記録されている場合であっても、夫々のデータを好適に再生することができる。【００４１】
本発明の情報記録媒体に係る実施形態の他の態様は、前記第１のデータリージョン情報と前記第２のデータリージョン情報とが記録されるべきタイトルリージョンエリア（例えば、後述のＶＭＧＩ＿ＣＡＴ）と、前記第１のデータリージョン情報及び前記第２のデータリージョン情報の夫々が反映されるべき媒体リージョン情報が記録されるリージョン記録エリア（例えば、後述のＣＰＲ＿ＭＡＩ）とを更に備え、前記タイトルリージョンエリアに記録された情報と前記リージョン記録エリアに記録された情報とは同一に設定されている。【００４２】
この態様によれば、情報記録媒体には、媒体リージョン情報が記録される。媒体リージョン情報は、第１のデータリージョン情報と第２のデータリージョン情報との夫々を反映している。言い換えれば、媒体リージョン情報は、第１のデータリージョン情報と第２のデータリージョン情報とを組み合わせたリージョン情報である。つまり、媒体リージョン情報は、情報記録媒体上に記録されているデータに割り当てられるデータリージョン情報の全てを含むリージョン情報である。具体的には、例えば、第１のリージョン情報が「１」であり、第２のデータリージョン情報が「２及び３」である場合には、媒体リージョン情報は「１、２及び３」となる。【００４３】
そして、本実施形態においては、タイトルリージョンエリアには、リージョン記録エリアに記録される媒体リージョン情報が記録される。つまり、タイトルリージョンエリアに記録される情報と、リージョン記録エリアに記録される情報とは同一である。【００４４】
これにより、情報記録媒体に媒体リージョン情報が記録されるという情報記録媒体の規格の要件を満たしながらも、データを再生する際には、該再生されるデータのデータリージョン情報を用いて再生動作を行うことができる。つまり、異なるデータリージョン情報が夫々に割り当てられる複数のデータが記録されている場合であっても、情報記録媒体の規格の要件を満たしながらも、再生されるデータに割り当てられたデータリージョン情報を参照リージョン情報として設定することができる。これにより、異なるデータリージョン情報が夫々に割り当てられる複数のデータが記録されている場合であっても、夫々のデータを好適に再生することができる。【００４５】
（情報記録装置の実施形態）
本発明の情報記録装置に係る実施形態は、第１のデータリージョン情報が割り当てられた第１データを記録する第１記録手段と、前記第１のデータリージョン情報とは異なる第２のデータリージョン情報が割り当てられた第２データを記録する第２記録手段と、前記第１データを再生する場合に、前記第１のデータリージョン情報を情報再生装置により参照される参照リージョン情報として設定する設定コマンドデータを含む制御データを記録する第３記録手段とを備える。【００４６】
本発明の情報記録装置に係る実施形態によれば、第１記録手段の動作により、第１データが情報記録媒体に記録される。更に、第２記録手段の動作により、第２データが情報記録媒体に記録される。更に、第３記録手段の動作により、制御データが情報記録媒体に記録される。【００４７】
これにより、情報記録媒体に１つの媒体リージョン情報が記録されるという情報記録媒体の規格の要件を満たしながらも、データを再生する際には、該再生されるデータのデータリージョン情報を用いて再生動作を行うことができる。つまり、異なるデータリージョン情報が夫々に割り当てられる複数のデータが記録されている場合であっても、情報記録媒体の規格の要件を満たしながらも、再生されるデータに割り当てられたデータリージョン情報を参照リージョン情報として設定することができる。これにより、異なるデータリージョン情報が夫々に割り当てられる複数のデータが記録されている場合であっても、夫々のデータを好適に再生することができる。つまり、上述した本発明の情報記録媒体に係る実施形態が享受する効果と同様の効果を享受することができる。【００４８】
尚、上述した本発明の情報記録媒体に係る実施形態における各種態様に対応して、本発明の情報記録装置に係る実施形態も各種態様を採ることが可能である。【００４９】
（情報記録方法の実施形態）
本発明の情報記録方法に係る実施形態は、第１のデータリージョン情報が割り当てられた第１データを記録する第１記録工程と、前記第１のデータリージョン情報とは異なる第２のデータリージョン情報が割り当てられた第２データを記録する第２記録工程と、前記第１データを再生する場合に、前記第１のデータリージョン情報を情報再生装置により参照される参照リージョン情報として設定する設定コマンドデータを含む制御データを記録する第３記録工程とを備える。【００５０】
本発明の情報記録方法に係る実施形態によれば、上述した本発明の情報記録装置に係る実施形態が有する各種利益と同様の利益を享受することができる。【００５１】
尚、上述した本発明の情報記録装置に係る実施形態における各種態様に対応して、本発明の情報記録方法に係る実施形態も各種態様を採ることが可能である。【００５２】
（コンピュータプログラムの実施形態）
本発明のコンピュータプログラムに係る実施形態は、第１のデータリージョン情報が割り当てられた第１データを記録する第１記録手段と、前記第１のデータリージョン情報とは異なる第２のデータリージョン情報が割り当てられた第２データを記録する第２記録手段と、前記第１データを再生する場合に、前記第１のデータリージョン情報を情報再生装置により参照される参照リージョン情報として設定する設定コマンドデータを含む制御データを記録する第３記録手段とを備える情報記録装置（即ち、上述した本発明の情報記録装置に係る実施形態（但し、その各種態様を含む））に備えられたコンピュータを制御する記録制御用のコンピュータプログラムであって、前記コンピュータプログラムは、前記コンピュータを、前記第１記録手段、前記第２記録手段及び前記第３記録手段のうち少なくとも一部として機能させる。【００５３】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。【００５４】
尚、上述した本発明の情報記録装置に係る実施形態における各種態様に対応して、本発明のコンピュータプログラムに係る実施形態も各種態様を採ることが可能である。【００５５】
本発明のコンピュータプログラム製品に係る実施形態は、第１のデータリージョン情報が割り当てられた第１データを記録する第１記録手段と、前記第１のデータリージョン情報とは異なる第２のデータリージョン情報が割り当てられた第２データを記録する第２記録手段と、前記第１データを再生する場合に、前記第１のデータリージョン情報を情報再生装置により参照される参照リージョン情報として設定する設定コマンドデータを含む制御データを記録する第３記録手段とを備える情報記録装置（即ち、上述した本発明の情報記録装置に係る実施形態（但し、その各種態様を含む））に備えられたコンピュータにより実行可能なプログラム命令を明白に具現化し、該コンピュータを、前記第１記録手段、前記第２記録手段及び前記第３記録手段のうち少なくとも一部として機能させる。【００５６】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る実施形態を比較的容易に実施可能となる。更に具体的には、当該コンピュータプログラム製品は、上述した本発明の情報記録装置に係る実施形態として機能させるコンピュータ読取可能なコード（或いはコンピュータ読取可能な命令）から構成されてよい。【００５７】
尚、上述した本発明の情報記録装置に係る実施形態における各種態様に対応して、本発明のコンピュータプログラム製品に係る実施形態も各種態様を採ることが可能である。【００５８】
本実施形態のこのような作用及び他の利得は次に説明する実施例から更に明らかにされよう。【００５９】
以上説明したように、本発明の情報記録媒体に係る実施形態によれば、第１データが記録される第１エリアと、第２データが記録される第２エリアと、制御データが記録される制御エリアとを備える。本発明の情報記録装置に係る実施形態によれば、第１データを記録する第１記録手段と、第２データを記録する第２記録手段と、制御データを記録する第３記録手段とを備える。本発明の情報記録方法に係る実施形態によれば、第１データを記録する第１記録工程と、第２データを記録する第２記録工程と、制御データを記録する第３記録工程とを備える。本発明のコンピュータプログラムに係る実施形態によれば、コンピュータを第１記録手段、第２記録手段及び第３記録手段として機能させる。従って、異なるリージョンコードが割り当てる複数のタイトルにおいて、再生動作時のリージョン情報の設定を好適に行うことができる。
【実施例】
【００６０】
以下、本発明の実施例を図面に基づいて説明する。【００６１】
（１）  情報記録媒体の基本構成
初めに、図１を参照して、本発明の情報記録媒体に係る実施例としての光ディスクについて説明を進める。ここに、図１（ａ）は、本実施例に係る光ディスクの一の基本構造を示した概略平面図であり、図１（ｂ）は、該光ディスクの概略断面図と、これに対応付けられた、その半径方向における記録領域構造の図式的概念図である。【００６２】
図１（ａ）及び図１（ｂ）に示されるように、本実施例に係る光ディスク１０は、例えば、ＤＶＤと同じく直径１２ｃｍ程度のディスク本体上の記録面に、センターホール１１を中心として、リードインエリア１２、データエリア１５、及びリードアウトエリア１８が設けられている。そして、光ディスク１０は、透明基板１３上に記録層等が積層されている。そして、この記録層の各記録領域には、例えば、センターホール１１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、データをエラー訂正可能なデータ管理単位である。【００６３】
また、リードインエリア１２内には、本発明における「リージョン記録エリア」の一具体例を構成しているＣＰＲ＿ＭＡＩ１６が設けられている。ＣＰＲ＿ＭＡＩ１６には、後述するディスクリージョンコードが記録される。【００６４】
尚、本実施例に係る光ディスク１０は、図１（ａ）及び図１（ｂ）に示すような単一の記録層を備える光ディスクに限定されず、複数の記録層を備える光ディスクであってもよい。【００６５】
（２）  情報記録媒体上のデータ構造
続いて、図２から図６を参照して、光ディスク１０に記録されるコンテンツの論理的なデータ構造（言い換えれば、ファイル構造）について説明する。ここに、図２は、光ディスク１０に記録されるコンテンツの基本的なデータ構造を概念的に示すデータ構造図であり、図３は、光ディスク１０に記録されるコンテンツのデータ構造のうちのＶＴＳ３０のデータ構造を概念的に示すデータ構造図であり、図４は、光ディスク１０に記録されるコンテンツのデータ構造のうちのＶＭＧ５０のデータ構造を概念的に示すデータ構造図であり、図５は、光ディスク１０に記録されるコンテンツの再生単位を規定するＰＧＣ（Program Chain）を概念的に示すタイミングチャートであり、図６は、警告文表示用セルにより表示される警告文を示す平面図である。【００６６】
尚、以下の説明では、光ディスク１０がＤＶＤ規格に準拠している具体例について説明する。従って、ＤＶＤ規格と同様の構成については、説明の簡略化のためにその詳細な説明を省略する。また、光ディスク１０に記録されるコンテンツは、例えばＭＰＥＧ（Moving Picture Expert group）方式に準拠して圧縮されていることが好ましい。【００６７】
図２に示すように、光ディスク１０に記録されるコンテンツは、ｎ（但し、ｎは、１以上且つ９９以下の整数）個のＶＴＳ（Video Title Set）３０及び１個のＶＭＧ（Video Manager）５０を含むＶｉｄｅｏ＿ＤＣディレクトリ２１（本発明における「第１データ」の一具体例）と、ｍ（但し、ｍは、１以上且つ９９以下の整数）個のＶＴＳ３０及び１個のＶＭＧ５０を含むＶｉｄｅｏ＿ＴＳディレクトリ２２（本発明における「第２データ」の一具体例）とを、ルートディレクトリ（root Directory）の下に含んでいる。【００６８】
尚、ＶＴＳ３０は、例えば、例えば１本の映画や１本のテレビ番組であって、関連する（即ち、それに含まれる音声情報及び副映像情報の数や、仕様、対応言語等の属性が同じ）タイトルを一まとめにしたセット（まとまり）である。また、ＶＭＧ５０は、ＶＭＧ５０と共にコンテンツに含まれるＶＴＳ３０を管理するための情報（例えば、データ、データリスト、データファイル又はデータテーブル、或いはＶＭＧ５０により管理されるＶＴＳ３０全体に関するメニュー（以降、適宜“総合メニュー”と称する））である。具体的には、Ｖｉｄｅｏ＿ＤＣディレクトリ２１に含まれるＶＭＧ５０は、Ｖｉｄｅｏ＿ＤＣディレクトリ２１に含まれるＶＴＳ３０を管理するための情報であり、Ｖｉｄｅｏ＿ＴＳディレクトリ２２に含まれるＶＭＧ５０は、Ｖｉｄｅｏ＿ＴＳディレクトリ２２に含まれるＶＴＳ３０を管理するための情報である。【００６９】
また、Ｖｉｄｅｏ＿ＤＣディレクトリ２１は、ＤＶＤ−Ｖｉｄｅｏ規格に準拠したコンテンツをサーバからダウンロードし且つ光ディスク１０に記録する場合に、該コンテンツが記録される、いわゆる新方式のディレクトリである。他方、Ｖｉｄｅｏ＿ＴＳディレクトリ２２は、例えばオーサーによりオーサリングされたパッケージソフトとしてのコンテンツが記録される、いわゆる旧方式のディレクトリである。しかしながら、本実施例においては、Ｖｉｄｅｏ＿ＴＳディレクトリ２２には、実質的なコンテンツ（つまり、映画等）は記録されず、後に詳述するように、Ｖｉｄｅｏ＿ＤＣディレクトリ２１を認識することができず且つＶｉｄｅｏ＿ＴＳディレクトリ２２を認識することができる情報再生装置に対して、光ディスク１０を再生することができない旨の警告文を表示させ且つ再生動作を停止させるためのデータが記録される。【００７０】
また、Ｖｉｄｅｏ＿ＤＣディレクトリ２１に含まれるＶＴＳ３０と、Ｖｉｄｅｏ＿ＴＳディレクトリ２２に含まれるＶＴＳ３０との夫々のデータ構造は、基本的には同一である。もちろん、一部異なる部分を含んでいてもよい。Ｖｉｄｅｏ＿ＤＣディレクトリ２１に含まれるＶＴＳ３０と、Ｖｉｄｅｏ＿ＴＳディレクトリ２２に含まれるＶＴＳ３０とは、いずれのディレクトリに記録されているかに応じて識別することができるし、後述するように、夫々を構成するファイルの識別子により識別することもできる。同様に、実際には、Ｖｉｄｅｏ＿ＤＣディレクトリ２１に含まれるＶＭＧ５０と、Ｖｉｄｅｏ＿ＴＳディレクトリ２２に含まれるＶＭＧ５０との夫々のデータ構造は、基本的には同一である。もちろん、一部異なる部分を含んでいてもよい。Ｖｉｄｅｏ＿ＤＣディレクトリ２１に含まれるＶＭＧ５０と、Ｖｉｄｅｏ＿ＴＳディレクトリ２２に含まれるＶＭＧ５０とは、いずれのディレクトリに記録されているかに応じて識別することができるし、後述するように、夫々を構成するファイルの識別子により識別することもできる。【００７１】
尚、本実施例においては、「Ｖｉｄｅｏ＿ＤＣ」という文言を使用しているが、当該文言は、いわゆる「Ｖｉｄｅｏ＿ＴＳ」という旧来の方式（ないしは、ガイドライン或いはフォーマット）に対して、新たに提案される方式を示す趣旨である。「Ｖｉｄｅｏ＿ＤＣ」は、例えば、ＤＶＤ−Ｖｉｄｅｏ規格に準拠し且つＣＰＲＭ等により暗号化されたコンテンツをサーバに蓄積しておき、ユーザの要求に応じて該蓄積されたコンテンツを、ネットワークを介してユーザに配信する際に用いられる。言い換えれば、「Ｖｉｄｅｏ＿ＤＣ」は、旧来の方式である「Ｖｉｄｅｏ＿ＴＳ」を用いて行うことができないないしは想定されていなかった動作を行う際に用いられる新たな方式である。もちろん、「Ｖｉｄｅｏ＿ＴＳ」のコンテンツがネットワークを介してユーザに配信されることもあり得るが、これは、旧来の方式に準拠したコンテンツを配信する態様であって、「Ｖｉｄｅｏ＿ＤＣ」によるコンテンツの配信とは異なる。このように、「Ｖｉｄｅｏ＿ＤＣ」は、旧来の「Ｖｉｄｅｏ＿ＴＳ」と異なる新方式を示す趣旨であるため、その文言を任意に規定してもよい。つまり、「Ｖｉｄｅｏ＿ＤＣ」という文言が変わったとしたとしても、該文言が変わった後の情報記録媒体が、本実施例の範囲に含まれることは言うまでもない。【００７２】
図３に示すように、ＶＴＳ３０は、ＶＴＳＩ（VTS Information）３１と、ＶＴＳＭ＿ＶＯＢＳ（Video Object Set for the VTS Menu）３２と、ＶＴＳ＿ＶＯＢＳ（Video Object Set for Titles in a VTS）３３と、ＶＴＳＩ＿ＢＵＰＳ（VTSI Buck Up）３４をと含んでいる。【００７３】
ＶＴＳＩ３１は、ＶＴＳ３０を管理するための管理情報である。Ｖｉｄｅｏ＿ＤＣディレクトリ２１に含まれるＶＴＳ３０中のＶＴＳＩ３１は、「ＶＴＳ＿＃＃＿０．ＩＤＣ」という１つのファイルから構成される。Ｖｉｄｅｏ＿ＴＳディレクトリ２２に含まれるＶＴＳ３０中のＶＴＳＩ３１は、「ＶＴＳ＿＃＃＿０．ＩＦＯ」という１つのファイルから構成される。尚、「＃＃」は、ＶＴＳの識別番号であって、コンテンツに含まれるＶＴＳ３０の数に応じて１以上の整数（但し、上限を定めてもよく、例えば上限を９９に定めてもよい）が順に割り当てられる。【００７４】
ＶＴＳＭ＿ＶＯＢＳ３２は、ＶＴＳ３０に関する各種メニュー（以降、このようなメニューを、適宜“タイトルメニュー”と称する）のためのデータである。Ｖｉｄｅｏ＿ＤＣディレクトリ２１に含まれるＶＴＳ３０中のＶＴＳＭ＿ＶＯＢＳ３２は、「ＶＴＳ＿＃＃＿０．ＶＤＣ」という１つのファイルから構成される。Ｖｉｄｅｏ＿ＴＳディレクトリ２２に含まれるＶＴＳ３０中のＶＴＳＭ＿ＶＯＢＳ３２は、「ＶＴＳ＿＃＃＿０．ＶＯＢ」という１つのファイルから構成される。【００７５】
尚、本実施例における「タイトルメニュー」とは、例えば後述する総合メニューを用いて選択された１つのタイトルに対して、その再生条件を設定する（例えば、再生時の音声言語を選択したり、再生時の副映像言語（例えば、字幕言語）を選択したりする）機能をもつメニュー等を意味する趣旨であり、後述するコンテンツの全体に関する総合メニュー情報（例えば、コンテンツ群に含まれる複数のタイトル情報の中から所望のタイトル情報を選択し、該選択された所望のタイトル情報の再生を指示するための機能を有するメニュー等）と区別して扱う。尚、「タイトルメニュー」をその機能により忠実な文言で表現すると、「タイトルメニュー」は「タイトル再生状態選択メニュー（或いは、タイトル再生条件選択メニュー）」と称することもできる。但し、本実施例中においては、「タイトルメニュー」と称して説明を進めるものとする。【００７６】
ＶＴＳ＿ＶＯＢＳ３３は、タイトルを実際に再生するための実体情報である。Ｖｉｄｅｏ＿ＤＣディレクトリ２１に含まれるＶＴＳ３０中のＶＴＳ＿ＶＯＢＳ３３は、「ＶＴＳ＿＃＃＿＠．ＶＤＣ」という一又は複数のファイルから構成される。Ｖｉｄｅｏ＿ＴＳディレクトリ２２に含まれるＶＴＳ３０中のＶＴＳ＿ＶＯＢＳ３３は、「ＶＴＳ＿＃＃＿＠．ＶＯＢ」という一又は複数のファイルから構成される。尚、「＠」は、ファイルの数に応じた連番であって、１つのＶＴＳ＿ＶＯＢＳ３３に含まれるファイルの数に応じた１以上の整数（但し、上限を定めてもよく、例えば上限を９に定めてもよい）が順に割り当てられる。【００７７】
本実施例では特に、ＶＴＳ＿ＶＯＢＳ３３には、情報再生装置による再生動作を行うことができない旨を警告する、図６に示すような警告文を表示するための警告文表示用セル７１（本発明における「表示データ」の一具体例）がタイトル＃ｘ（但し、ｘは１以上の整数）として含まれている。この警告文表示用セル７１を再生するために用いられるＰＧＣは、単純な１つのＰＧＣであって且つシーケンシャルなＰＧＣであることが好ましい。【００７８】
ＶＴＳＩ＿ＢＵＰＳ３４は、ＶＴＳＩ３１のバックアップである。Ｖｉｄｅｏ＿ＤＣディレクトリ２１に含まれるＶＴＳ３０中のＶＴＳＩ＿ＢＵＰＳ３４は、「ＶＴＳ＿＃＃＿０．ＢＤＣ」という１つのファイルから構成される。Ｖｉｄｅｏ＿ＴＳディレクトリ２２に含まれるＶＴＳ３０中のＶＴＳＩ＿ＢＵＰＳ３４は、「ＶＴＳ＿＃＃＿０．ＢＵＰ」という１つのファイルから構成される。【００７９】
ＶＴＳＩ３１は、ＶＴＳＩ３１全般を管理するためのＶＴＳＩ総合情報３５と、ＶＴＳ３０のうちの再生するべきデータを指定するＰＧＣＩ（＃ｙ（但し、ｙは１以上の整数））（Program Chain Information #m）３８を含むＰＧＣＩテーブル３６と、その他の情報３７とを含んでいる。【００８０】
ＰＧＣＩ（＃ｙ）３８は、ＰＧＣＩ（＃ｙ）３８全般を管理するためのＰＧＣＩ（＃ｙ）総合情報３９と、コマンド情報テーブル４０と、ＰＧＣＩ（＃ｙ）３８により指定される再生単位であるセルに関する情報を含むセル情報テーブル４１と、その他の情報４２とを含む。【００８１】
コマンド情報テーブル４０は、ＰＧＣＩ（＃ｙ）３８により指定されたデータを再生する前に実行されるプリコマンドを指定するプリコマンドテーブル４３と、ＰＧＣＩ（＃ｙ）３８により指定されたデータを再生した後に実行されるポストコマンドを指定するポストコマンドテーブル４４と、ＰＧＣＩ（＃ｙ）により特定されるセルを再生した後に実行されるセルコマンドを指定するセルコマンドテーブル４５とを含む。【００８２】
本実施例では特に、コマンド情報テーブル４０に含まれるプリコマンドテーブル４３、ポストコマンドテーブル４４及びセルコマンドテーブル４５の少なくとも１つは、情報再生装置による光ディスク１０の再生時のリージョンコードを設定するためのリージョン設定コマンド７２（本発明における「設定コマンドデータ」の一具体例）を含んでいる。特に、このリージョン設定コマンド７２は、上述したタイトル＃ｘに対応付けられている。つまり、上述したタイトル＃ｘを再生する際に実行されるコマンドとして設定されている。特に、リージョン設定コマンド７２は、タイトル＃ｘを再生する前に実行されるプリコマンドとして設定されていることが好ましい。【００８３】
また、コマンド情報テーブル４０に含まれるプリコマンドテーブル４３、ポストコマンドテーブル４４及びセルコマンドテーブル４５の少なくとも１つは、警告文表示用セル６１の再生が開始されてから例えば数秒後に再生動作を停止させるための再生停止コマンド７３（本発明における「停止コマンドデータ」の一具体例）を含んでいる。特に、この再生停止コマンド７３は、上述したタイトル＃ｘに対応付けられている。つまり、上述したタイトル＃ｘを再生する際に実行されるコマンドとして設定されている。【００８４】
このリージョン設定コマンド７２及び再生停止コマンド７３による動作の詳細については、後に詳述する（図８参照）。【００８５】
図４に示すように、ＶＭＧ５０は、ＶＭＧＩ（VMG Information）５１と、ＶＭＧＭ＿ＶＯＢＳ（Video Object Set for the VMG Menu）５２と、ＶＭＧＩ＿ＢＵＰＳ（VMGI Buck Up）５４をと含んでいる。【００８６】
ＶＭＧＩ５１は、ＶＭＧ５０が含まれるコンテンツ全体を管理するための管理情報である。Ｖｉｄｅｏ＿ＤＣディレクトリ２１に含まれるＶＴＳ３０中のＶＭＧＩ５１は、「ＶＩＤＥＯ＿ＴＳ．ＩＤＣ」という１つのファイルから構成される。Ｖｉｄｅｏ＿ＴＳディレクトリ２２に含まれるＶＴＳ３０中のＶＭＧＩ５１は、「ＶＩＤＥＯ＿ＴＳ．ＩＦＯ」という１つのファイルから構成される。【００８７】
ＶＭＧＭ＿ＶＯＢＳ５２は、ＶＭＧ５０が含まれるコンテンツ全体に関する総合メニュー（例えば、複数のタイトルから所望のタイトルを選択するためのメニュー）のためのデータである。Ｖｉｄｅｏ＿ＤＣディレクトリ２１に含まれるＶＴＳ３０中のＶＭＧＭ＿ＶＯＢＳ５２は、「ＶＩＤＥＯ＿ＴＳ．ＶＤＣ」という１つのファイルから構成される。Ｖｉｄｅｏ＿ＴＳディレクトリ２２に含まれるＶＴＳ３０中のＶＭＧＭ＿ＶＯＢＳ５２は、「ＶＩＤＥＯ＿ＴＳ．ＶＯＢ」という１つのファイルから構成される。【００８８】
ＶＭＧＩ＿ＢＵＰＳ５４は、ＶＭＧＩ５１のバックアップである。Ｖｉｄｅｏ＿ＤＣディレクトリ２１に含まれるＶＴＳ３０中のＶＭＧＩ＿ＢＵＰＳ５４は、「ＶＩＤＥＯ＿ＴＳ．ＢＤＣ」という１つのファイルから構成される。Ｖｉｄｅｏ＿ＴＳディレクトリ２２に含まれるＶＴＳ３０中のＶＭＧＩ＿ＢＵＰＳ５４は、「ＶＩＤＥＯ＿ＴＳ．ＢＵＰ」という１つのファイルから構成される。【００８９】
ＶＭＧＩ５１は、ＶＭＧＩ５１全般を管理するためのＶＭＧ総合情報５５と、光ディスク１０に記録されているコンテンツに含まれるタイトル＃ｌ（但し、ｌは１以上の整数）の先頭ＰＧＣが記録されているアドレスを示すタイトルサーチポインタ等を含むその他の情報５７とを含んでいる。【００９０】
ＶＭＧ総合情報５５は、上述したＣＰＲ＿ＭＡＩ１６に記録されるディスクリージョンコードが記録されるＶＭＧＩ＿ＣＡＴ５８と、光ディスク１０の再生時に最初に再生されるデータを指定するＦＰ＿ＰＧＣ５９と、ディスクリージョン等を含むその他の情報６０とを含んでいる。【００９１】
ＶＭＧＩ＿ＣＡＴ５８は、本発明における「リージョン記録エリア」の一具体例を構成しており、ディスクリージョンコードが記録される。【００９２】
尚、本実施例においては、ディレクトリ毎に或いはタイトル毎にリージョンコードを割り当てることができる。例えば、Ｖｉｄｅｏ＿ＤＣディレクトリ２１に対してリージョンコード「１」を割り当て、Ｖｉｄｅｏ＿ＴＳディレクトリ２２に対してリージョンコード「２」を割り当ててもよい。この場合、ディスクリージョンコードは、「１及び２」となる。他方、Ｖｉｄｅｏ＿ＤＣディレクトリ２１中のＶＴＳ＃１中のタイトル＃１に対してリージョンコード「１」を割り当て、Ｖｉｄｅｏ＿ＤＣディレクトリ２１中のＶＴＳ＃１中のタイトル＃２に対してリージョンコード「２」を割り当て、Ｖｉｄｅｏ＿ＴＳディレクトリ２２中のＶＴＳ＃１中のタイトル＃１に対してリージョンコード「３及び４」を割り当て、ＴＳディレクトリ２２中のＶＴＳ＃１中のタイトル＃２に対してリージョンコード「５」を割り当ててもよい。この場合、ディスクリージョンコードは、「１、２、３、４及び５」となる。このように、光ディスク１０に記録されるディレクトリ毎に或いはタイトル毎に割り当てられる個別のリージョンコードを全て組み合わせたコードが、ディスクリージョンコードとなる。【００９３】
但し、光ディスク１０が、ＤＶＤ−Ｒ等の記録可能型の光ディスクである場合には、光ディスクにどのようなリージョンコードが割り当てられるディレクトリ或いはタイトルが記録されるかは、実際にディレクトリ、ＶＴＳ３０或いはタイトルを記録するときでなければ判明しない。更には、ＤＶＤ−Ｒ等においては、上述したＣＰＲ＿ＭＡＩ１６は予めリザーブドエリアとするように規格により定められている。従って、ディレクトリ、ＶＴＳ３０或いはタイトルをユーザ自身が記録することを想定している光ディスク１０においては、ディスクリージョンは、リージョンオール（言い換えれば、リージョンフリー）にすることが好ましい。この場合、ＶＭＧＩ＿ＣＡＴ５８にも、リージョンオールのディスクリージョンコードが記録される。【００９４】
尚、リージョン設定コマンド７２は、ディレクトリ毎に或いはタイトル毎に割り当てられる個別のリージョンコードを、ディレクトリ毎に或いはタイトル毎に識別することができるように構成されている。従って、リージョン設定コマンド７２が実行されることで、再生対象となるディレクトリ或いはタイトルに応じたリージョンコードが、情報再生装置により参照されるリージョンコードとして設定される。【００９５】
ＦＰ＿ＰＧＣ５９は、本発明における「シーケンスデータ」の一具体例を構成しており、光ディスク１０が情報再生装置にローディングされた後に再生するべきデータ（具体的には、ＰＧＣ）を指定する。本実施例では特に、ＦＰ＿ＰＧＣ５９は、上述したＶＴＳ＿ＶＯＢＳ３３のうちタイトル＃ｘを指定する。【００９６】
このようなデータ構造を有する光ディスク１０では、図５に示す順にデータが再生される。図５に示すように、光ディスク１０に記録されたコンテンツは、主としてＰＧＣの単位で再生が行われる。ＰＧＣは、ＰＧＣＩ３８と該ＰＧＣＩ３８により指定されるデータそのものの組み合わせに相当する。もちろん、ＦＰ＿ＰＧＣ５９により指定されるデータが再生された後に、ＰＧＣＩテーブル３６中のＰＧＣＩ３８により指定されるデータが再生されることは言うまでもない。【００９７】
１つのＰＧＣを再生する際には、初めにＰＧＣの設定情報（例えば、ＰＧＣＩ総合情報等）を取得し、プリコマンドテーブル４３により指定されるプリコマンドが実行される。その後、ＰＧＣＩ３８により特定されるセルの単位でコンテンツの再生が進められる。セルは、ナビパックと該ナビパックにより再生が制御されるデータ（例えば、ビデオパックや、オーディオパックや、サブピクチャパック等）との組み合わせから構成される。【００９８】
ナビパックには、ナビゲーションコマンドを指定することができ、データの再生の前に該ナビゲーションコマンドを実行することができる。ナビゲーションコマンドには、一定時間経過後に所定の処理が実行されるコマンドを設定することができる。具体的には、ナビゲーションコマンドに、ディスプレイに表示されない透明のボタンを表示するボタンコマンドを設定しておき、該ボタンコマンドが一定時間選択及び実行されなかった場合には、所定の処理を自動的に実行するように構成することができる。【００９９】
１つのセルの再生が終了した後には、セルコマンドテーブル４５により指定されるセルコマンドが実行される。その後、次のＰＧＣの再生が、同様の手順で行われる。【０１００】
尚、図５に示す例は、１つのＰＧＣに１つのセルが含まれる例について説明しているが、もちろん、１つのＰＧＣに複数のセルが含まれるように構成してもよい。この場合、１つのセルの再生が終了した後（つまり、セルコマンドが実行された後）、次のセルの実行が、上記と同様の手順で順次行われる。１つのＰＧＣに含まれる最後のセルの再生が終了した後には、ポストコマンドテーブル４４により指定されるポストコマンドが実行される。その後、次のＰＧＣの再生が同様の手順で行われる。【０１０１】
（３）  情報記録再生装置
続いて、図７及び図８を参照して、本実施例に係る情報記録再生装置１００について説明を進める。ここに、図７は、本実施例に係る情報記録再生装置１００の基本構成を概念的に示すブロック図である。【０１０２】
図７に示すように、情報記録再生装置１００は、実際に光ディスク１００がローディングされ且つデータの記録及び再生が行なわれるディスクドライブ１１０と、該ディスクドライブ１１０におけるデータの記録及び再生を制御するパーソナルコンピュータ等のホストコンピュータ１２０とを備えている。【０１０３】
ディスクドライブ１１０は、光ディスク１０、スピンドルモータ１１１、光ピックアップ１１２、信号記録再生手段１１３、ＣＰＵ（ドライブ制御手段）１１４、メモリ１１５、データ入出力制御手段１１６及びバス１１７を備えて構成されている。また、ホストコンピュータ１２０は、ＣＰＵ１２１、メモリ１２２、操作／表示制御手段１２３、操作ボタン１２４、表示パネル１２５、及びデータ入出力制御手段１２６及びバス１２７を備えて構成される。【０１０４】
スピンドルモータ１１１は光ディスク１０を回転及び停止させるもので、光ディスク１０へのアクセス時に動作する。より詳細には、スピンドルモータ１１１は、図示しないサーボユニット等によりスピンドルサーボを受けつつ所定速度で光ディスク１０を回転及び停止させるように構成されている。【０１０５】
光ピックアップ１１２は、光ディスク１０への記録再生を行うために、例えば図示しない半導体レーザ素子と、コリメータレンズ及び対物レンズ等から構成される。より詳細には、光ピックアップ１１２は、光ディスク１０に対してレーザービーム等の光ビームを、再生時には読み取り光として第１のパワーで照射し、記録時には書き込み光として第２のパワーで且つ変調させながら照射する。【０１０６】
信号記録再生手段１１３は、本発明における「第１記録手段」、「第２記録手段」、「第３記録手段」及び「第４記録手段」の一具体例を構成しており、ＣＰＵ１１４の制御を受けながらスピンドルモータ１１１と光ピックアップ１１２を制御することで、光ディスク１０に対して記録を行うと共に、光ディスクの１０の再生を行う。より具体的には、信号記録再生手段１１３は、例えば、レーザダイオードドライバ（ＬＤドライバ）及びヘッドアンプ等によって構成されている。レーザダイオードドライバは、例えば駆動パルスを生成し、光ピックアップ１１２内に設けられた半導体レーザ素子を駆動する。ヘッドアンプは、光ピックアップ１１２の出力信号、即ち、光ビームの反射光を増幅し、該増幅した信号を出力する。【０１０７】
ＣＰＵ（ドライブ制御手段）１１４は、信号記録再生手段１１３及びメモリ１１５と、バス１１７を介して接続され、各種制御手段に指示を行うことで、ディスクドライブ１１０全体の制御を行う。通常、ＣＰＵ１１４が動作するためのソフトウェア又はファームウェアは、メモリ１１５に格納されている。【０１０８】
メモリ１１５は、記録及び再生用のデータのバッファ領域や、信号記録再生手段１１３で使用出来るデータに変換する時の中間バッファとして使用される領域などディスクドライブ１１０におけるデータ処理全般において使用される。また、メモリ１１５は情報記録再生装置１００が動作を行うためのプログラム（即ち、ファームウェア）が格納されるＲＯＭ領域と、記録及び再生用のデータが一時的に格納される或いはファームウェアプログラム等の動作に必要な変数が格納されるＲＡＭ領域などから構成される。【０１０９】
データ入出力制御手段１１６は、ディスクドライブ１１０に対するホストコンピュータ１２０からのデータ入出力を制御する。ディスクドライブ１１０とＳＣＳＩや、ＡＴＡＰＩなどのインタフェースを介して接続されている外部のホストコンピュータ１２０から発行されるドライブ制御命令は、データ入出力制御手段１１６を介してＣＰＵ１１４に伝達される。また、記録及び再生用のデータも同様にデータ入出力制御手段１１６を介して、ホストコンピュータ１２０とやり取りされる。【０１１０】
操作／表示制御手段１２３はホストコンピュータ１２０に対する動作指示受付と表示を行うもので、操作ボタン１２４による各種指示（例えば、記録開始指示や記録停止指示等）をＣＰＵ１２１に伝える。ＣＰＵ１２１は、操作／表示制御手段１２３からの指示情報を元に、データ入出力手段１２６を介して、ディスクドライブ１１０に対して制御命令（コマンド）を送信し、ディスクドライブ１１０全体を制御する。同様に、ＣＰＵ１２１は、ディスクドライブ１１０に対して、動作状態をホストコンピュータ１２０に送信するように要求するコマンドを送信することができる。これにより、ディスクドライブ１１０の動作状態（例えば、記録実行状態や記録中断状態）が把握できるためＣＰＵ１２１は、操作／表示制御手段１２３を介して蛍光管やＬＣＤなどの表示パネル１２５にディスクドライブ１１０の動作状態を出力することができる。【０１１１】
ＣＰＵ１２１は、ホストコンピュータ１２０全体の制御を行う。【０１１２】
メモリ１２２は、ホストコンピュータ１２０が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。【０１１３】
このような構成を有する情報記録再生装置１００は、上述の図１から図６において説明したデータ構造を有するように、光ディスク１０へデータを記録する。【０１１４】
続いて、図８を参照しながら、情報記録再生装置１００による光ディスク１０の再生動作について説明する。ここに、図８は、本実施例に係る情報記録再生装置１００の再生動作の流れを概念的に示すフローチャートである。【０１１５】
図８に示すように、光ディスク１０が情報記録再生装置１００にローディングされると（ステップＳ１０１）、ユーザにより再生対象のタイトル（或いは、ディレクトリないしはＶＴＳ３０）が選択される（ステップＳ１０２）。【０１１６】
その後、ＦＰ＿ＰＧＣ５９により指定されるタイトル＃ｘがまず再生される（ステップＳ１０３）。ここで、本実施例においては、リージョン設定コマンド７２がプリコマンドとして設定されているため、リージョン設定コマンド７２が実行される。【０１１７】
リージョン設定コマンド７２は、情報記録再生装置１００による光ディスク１０の再生時のリージョンコードを設定する。具体的には、情報記録再生装置１００のメモリ１１５又は１２２中のＧＰＲＭ（General Parameter）＃１に、ステップＳ１０２において選択された再生対象のタイトルに本来割り当てられているリージョンコードが設定される（ステップＳ１０４）。ＧＰＲＭ＃１に設定されたリージョンコードは、光ディスク１０の再生時に情報記録再生装置１００により実際に参照される。同時に、情報記録再生装置１００に割り当てられる機器用リージョンコードが、情報再生装置１００のメモリ１１５又は１２２中のＳＰＲＭ（System Parameter）＃２０に設定される。【０１１８】
尚、ＧＰＲＭは、情報記録再生装置１００により一時的に用いられるパラメータであって、本実施例においては、ＧＰＲＭのうちのＧＰＲＭ＃１を用いて、再生対象のタイトルに本来割り当てられているリージョンコードを設定する。他方、ＳＰＲＭは、情報記録再生装置１００により固定的に用いられるパラメータであって、本実施例においては、ＳＰＲＭのうちのＳＰＲＭ＃２０を用いて、機器用リージョンコードを設定する。【０１１９】
その後、タイトル＃ｘに含まれるプリコマンドやセルコマンドやポストコマンド等により、ＧＰＲＭ＃１に設定されたリージョンコードと、ＳＰＲＭ＃２０に設定された機器用リージョンコードとが一致するか否かが判定される（ステップＳ１０５）。【０１２０】
ステップＳ１０５における判定の結果、ＧＰＲＭ＃１に設定されたリージョンコードと、ＳＰＲＭ＃２０に設定された機器用リージョンコードとが一致すると判定された場合には（ステップＳ１０５：Ｙｅｓ）、再生動作が継続される（ステップＳ１０６）。即ち、ステップＳ１０２において選択されたタイトルの再生が行われる。【０１２１】
他方、ステップＳ１０５における判定の結果、ＧＰＲＭ＃１に設定されたリージョンコードと、ＳＰＲＭ＃２０に設定された機器用リージョンコードとが一致しないと判定された場合には（ステップＳ１０５：Ｎｏ）、タイトル＃ｘに含まれるプリコマンドやセルコマンドやポストコマンド等により、警告文表示用セル７１が再生される（ステップＳ１０７）。警告文表示用セル７１は、図６に示すように、「警告。このディスクは、お手持ちのプレーヤでは再生することができません。対応するプレーヤにて再生下さい」という警告文を示す静止画であってもよい。或いは、ローディングされた光ディスク１０を再生することができない旨をユーザに対して提示できれば、動画や音声であってもよい。【０１２２】
警告文表示用セル７１の再生後は、タイトル＃ｘに含まれるプリコマンドやセルコマンドやポストコマンド等に設定されている再生停止コマンド７３により、情報記録再生装置１００の再生動作が停止される（ステップＳ１０８）。【０１２３】
以上説明したように、本実施例によれば、異なるリージョンコードが割り当てられる複数のタイトル（或いは、ディレクトリ）を１枚の光ディスク１０に記録しながら、例えば再生対象となるタイトルが選択される都度、再生対象となるタイトルのリージョンコードをＧＰＲＭ＃１に設定することができる。特に、ＤＶＤの規格において要求されるＣＰＲ＿ＭＡＩ１６とＶＭＧＩ＿ＣＡＴ５８に同一のディスクリージョンコードを記録するという要求を満たしつつ、再生対象となるタイトルのリージョンコードをＧＰＲＭ＃１に設定することができる。これにより、異なるリージョンコードが割り当てられる複数のタイトルの夫々を、個々のリージョンコードを用いながら好適に再生することができる。【０１２４】
加えて、リージョンチェックの結果、光ディスク１０を再生することができないと判定された場合には、警告文表示用セル７１が再生される。警告文表示用セル７１は、図６に示すように、「警告。このディスクは、お手持ちのプレーヤでは再生することができません。対応するプレーヤにて再生下さい」という警告文を示す静止画であってもよい。或いは、ローディングされた光ディスク１０を再生することができない旨をユーザに対して提示できれば、動画や音声であってもよい。これにより、ユーザは、ローディングされた光ディスク１０を再生することができないことを好適に認識することができる。そして、再生停止コマンド７３により、警告文が表示された後の情報記録再生装置１００の再生動作を強制的に停止することができるため、不正な再生動作が行われる不都合を好適に防ぐことができる。【０１２５】
尚、上述の実施例では、Ｖｉｄｅｏ＿ＤＣディレクトリ２１とＶｉｄｅｏ＿ＴＳディレクトリ２２とが記録される光ディスク１０について説明を進めた。しかしながら、本発明はこれに限定されることは言うまでもない。例えば、Ｖｉｄｅｏ＿ＤＣディレクトリ２１のみが記録される光ディスクであってもよいし、Ｖｉｄｅｏ＿ＴＳディレクトリ２２のみが記録される光ディスクであってもよい。或いは、更に他の方式のデータが記録される光ディスクであってもよい。要は、異なるリージョンコードが割り当てられる複数のデータ（例えば、ディレクトリや、ＶＴＳや、タイトルや、その他の各種コンテンツ等）が記録される光ディスクに対して、上述した構成を採用することで、上述した各種効果を好適に享受することができる。【０１２６】
また、上述の実施例では、ＦＰ＿ＰＧＣ５９により指定されるタイトル＃ｘに、警告文表示用セル７１や、リージョン設定コマンド７２や、再生停止コマンド７３が含まれる構成について説明した。しかしながら、警告文表示用セル７１や、リージョン設定コマンド７２や、再生停止コマンド７３が含まれる構成に加えて又は代えて、ＦＰＧＣ５９により、タイトル＃ｘとは異なるＶＭＧＭ＿ＶＯＢＳ５２や、ＶＴＳＭ＿ＶＯＢＳ３２（特に、その先頭ＰＧＣ）が指定されるように構成していてもよい。この場合、ＶＭＧＭ＿ＶＯＢＳ５２や、ＶＴＳＭ＿ＶＯＢＳ３２（特に、その先頭ＰＧＣ）は、タイトル＃ｘと同様の構成を有している。或いは、これらの構成に加えて又は代えて、複数のタイトル（或いは、複数のディレクトリ、複数のＶＴＳ３０等）の夫々に、タイトル＃ｘと同様の構成を持たせるように構成してもよい。この場合、各タイトルの先頭ＰＧＣのナビコマンドに、上述したリージョン設定コマンド７２が設定されていることが好ましい。このように構成しても、リージョン設定コマンド７２が実行されるため、上述した各種効果を好適に享受することができる。【０１２７】
尚、上述の実施例では、情報記録媒体の一例として光ディスク１０、並びに情報記録装置及び情報再生装置の一例として光ディスク１０に係るレコーダ及びプレーヤについて説明したが、本発明は、光ディスク並びにそのレコーダ及びプレーヤに限られるものではなく、他の高密度記録或いは高転送レート対応の各種情報記録媒体並びにそのレコーダ及びプレーヤにも適用可能である。【０１２８】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びにコンピュータプログラムもまた本発明の技術的範囲に含まれるものである。
【図１】
0004827070.tif 000002
【図２】
0004827070.tif 000003
【図３】
0004827070.tif 000004
【図４】
0004827070.tif 000005
【図５】
0004827070.tif 000006
【図６】
0004827070.tif 000007
【図７】
0004827070.tif 000008
【図８】
0004827070.tif 000009